(57)【要約】  【課題】電子カメラが感度自動変更モードに設定されている状態で自動変更した撮像感度と、自動変更する前の撮像感度とを適切に表示する。  【解決手段】電子カメラは、感度設定スイッチＳＷ４がオン操作されると、ファインダー内表示装置１０９１に露出演算後の制御撮像感度を表示する。露出演算処理によって撮像感度が自動変更されると、ファインダー内表示装置１０９１に「ＩＳＯ  Ａｕｔｏ」を点滅表示するとともに、自動変更後の撮像感度を点灯表示する。露出演算処理によって撮像感度が自動変更されない場合は、ファインダー内表示装置１０９１に「ＩＳＯ  Ａｕｔｏ」を点灯表示するとともに、制御撮像感度（＝設定撮像感度）を点灯表示する。感度自動変更モードが解除されている場合は、ファインダー内表示装置１０９１に制御撮像感度（＝設定撮像感度）を点灯表示する。電子カメラは、感度設定スイッチＳＷ４がオン操作されると、外部表示装置１０９２に設定撮像感度を表示する。  【選択図】図１
2006301151.tif 000002
【特許請求の範囲】
【請求項１】
被写体像を撮像する撮像装置と、
前記撮像装置に設定されている露光感度を用いて露出演算を行い、当該露出演算によって適正露出が得られない場合に適正露出に近づけるように前記設定されている露光感度を変更して制御露出を演算する露出演算手段と、
前記露出演算手段が前記露光感度を変更したことに応じて、前記変更後の露光感度を示す表示を行う表示手段とを備えることを特徴とする電子カメラ。
【請求項２】
被写体像を撮像する撮像装置と、
前記撮像装置の露光感度を表示させるための操作信号を出力する露光感度表示操作部材と、
前記撮像装置に設定されている露光感度を用いて露出演算を行い、当該露出演算によって適正露出が得られない場合に適正露出に近づけるように前記設定されている露光感度を変更して制御露出を演算する露出演算手段と、
前記露光感度表示操作部材から前記操作信号が出力されたことに応じて、前記露出演算手段による演算後の露光感度を示す表示を行う表示手段とを備えることを特徴とする電子カメラ。
【請求項３】
請求項１または２に記載の電子カメラにおいて、
前記表示手段はファインダー内に備えられる内部表示装置であり、
前記撮像装置の露光感度を設定するための操作信号を出力する露光感度設定操作部材と、
カメラの筐体に備えられ、前記露光感度設定操作部材から前記操作信号が出力されたことに応じて、当該操作信号によって設定されている露光感度を示す表示を行う外部表示装置とをさらに備えることを特徴とする電子カメラ。
【発明の詳細な説明】
【技術分野】
【０００１】
本発明は、撮像感度を自動的に変更する動作モードを有する電子カメラに関する。
【背景技術】
【０００２】
撮像感度（露光感度）を自動的に変更する電子カメラが知られている（特許文献１参照）。特許文献１に記載の電子カメラは、撮像感度が変更可能（感度自動変更モードと呼ぶことにする）に設定されているとき、被写体輝度に応じて絞り値、シャッタ速度、ならびに撮像感度を決定する。撮像感度は、シャッタ速度および絞り値が制御限界に達しても適正露出が得られていない場合に、適正露出に近づけるように自動的に変更される。撮像感度が自動的に変更されている場合、カメラの表示装置には自動変更後の値が表示され、撮像感度が自動的に変更されていない場合、カメラの表示装置には自動変更される前の値が表示される。自動変更される前の撮像感度値とは、カメラに設定されている撮像感度値である。
【０００３】
【特許文献１】特開２００３−１８９１７５号公報
【発明の開示】
【発明が解決しようとする課題】
【０００４】
自動変更後の撮像感度値が表示されている場合でも、自動変更される前の撮像感度値を知りたい場合がある。この場合、表示装置の表示態様を複雑にしないで適切に表示することが望まれる。特許文献１には、この点に関して具体的な表示態様が開示されていない。
【課題を解決するための手段】
【０００５】
請求項１に記載の発明による電子カメラは、被写体像を撮像する撮像装置と、撮像装置に設定されている露光感度を用いて露出演算を行い、当該露出演算によって適正露出が得られない場合に適正露出に近づけるように設定されている露光感度を変更して制御露出を演算する露出演算手段と、露出演算手段が露光感度を変更したことに応じて、変更後の露光感度を示す表示を行う表示手段とを備えることを特徴とする。
請求項２に記載の発明による電子カメラは、被写体像を撮像する撮像装置と、撮像装置の露光感度を表示させるための操作信号を出力する露光感度表示操作部材と、撮像装置に設定されている露光感度を用いて露出演算を行い、当該露出演算によって適正露出が得られない場合に適正露出に近づけるように設定されている露光感度を変更して制御露出を演算する露出演算手段と、露光感度表示操作部材から操作信号が出力されたことに応じて、露出演算手段による演算後の露光感度を示す表示を行う表示手段とを備えることを特徴とする。
請求項１または請求項２に記載の電子カメラにおいて、ファインダー内に備えられる内部表示装置によって表示手段を構成してもよく、撮像装置の露光感度を設定するための操作信号を出力する露光感度設定操作部材と、カメラの筐体に備えられ、露光感度設定操作部材から操作信号が出力されたことに応じて、当該操作信号によって設定されている露光感度を示す表示を行う外部表示装置とをさらに備えるようにしてもよい。
【発明の効果】
【０００６】
本発明による電子カメラでは、表示態様を複雑にすることなく、露出演算によって自動変更された撮像感度、変更される前の撮像感度を適切に表示できる。
【発明を実施するための最良の形態】
【０００７】
以下、図面を参照して本発明を実施するための最良の形態について説明する。図１は、本発明の一実施形態による電子カメラの構成を示すブロック図である。図１において、演算回路１０１は、マイクロコンピュータなどによって構成される。演算回路１０１は、後述する各ブロックから出力される信号を入力して所定の演算を行い、演算結果に基づいて制御信号を各ブロックへ出力する。撮像素子１２１は、ＣＣＤイメージセンサなどによって構成される。撮像素子１２１は、撮影レンズＬを通過した光による被写体像を撮像し、撮像信号をＡ／Ｄ変換回路１２２へ出力する。
【０００８】
Ａ／Ｄ変換回路１２２は、アナログ撮像信号をディジタル信号に変換する。撮像素子１２１およびＡ／Ｄ変換回路１２２は、タイミング回路１２４から出力される駆動信号によって所定のタイミングで駆動される。
【０００９】
撮像素子１２１は、後述する感度自動変更モードの設定時に、ＩＳＯ１００相当〜ＩＳＯ１６００相当の範囲内において撮像感度（露光感度）を所定のステップで変更可能に構成されている。撮像感度とは、撮像素子１２１に蓄積される電荷の検出感度、もしくは不図示の増幅回路の増幅利得を変化させる被制御量のことをいう。撮像感度は、相当するＩＳＯ感度値で表される。
【００１０】
撮像信号処理回路を構成するＡＳＩＣ１２３は、ディジタル変換後の信号に所定の画像処理を行う。画像処理は、ホワイトバランス（ＷＢ）調整処理、画像データを所定の形式で圧縮する圧縮処理、圧縮処理後のデータを伸長する伸長処理を含む。バッファメモリ１２５は、ＡＳＩＣ１２３によって信号処理された画像データを逐次入力し、当該データを一時的に格納する。記録媒体１２６は、着脱可能なフラッシュメモリなどによって構成される。記録媒体１２６は、バッファメモリ１２５に一時格納されている画像データを記録する。
【００１１】
露出モードスイッチＳＷ３は、不図示の露出モード設定ボタンの押下操作に連動してオンし、オン信号を演算回路１０１へ出力する一方、露出モード設定ボタンの押下解除に連動してオフし、オフ信号を演算回路１０１へ出力する。演算回路１０１は、露出モードスイッチＳＷ３からオン信号が入力された状態で後述のメインコマンドダイヤル１１０から操作信号が入力されると、操作信号に応じてプログラムオート露出演算モード（Ｐ）、シャッタ速度優先露出演算モード（Ｓ）、絞り値優先露出演算モード（Ａ）、およびマニュアル露出モード（Ｍ）のいずれか一つに設定する。
【００１２】
プログラムオート露出演算モードでは、適正露出が得られるように撮像素子１２１の露光時間および絞り値を所定の組み合わせで変更可能にして制御露出を演算する。シャッタ速度（露光時間）優先露出演算モードでは、設定されている露光時間で適正露出が得られるように絞り値を変更可能にして制御露出を演算する。絞り値優先露出演算モードでは、設定されている絞り値で適正露出が得られるように露光時間を変更可能にして制御露出を演算する。マニュアル露出モードでは、設定されている露光時間および絞り値による制御露出と適正露出との偏差を演算する。
【００１３】
メインコマンドダイヤル１１０は、回転操作に応じて回転方向および回転量を示す操作信号を演算回路１０１へ出力する。サブコマンドダイヤル１１１は、回転操作に応じて回転方向および回転量を示す操作信号を演算回路１０１へ出力する。
【００１４】
感度自動変更モード設定操作部材１１２は、感度自動変更モードの設定／解除を行うための操作部材である。感度自動変更モード設定操作部材１１２は、設定／解除操作に応じた操作信号を演算回路１０１へ出力する。演算回路１０１は、入力される操作信号に応じて感度自動変更モードの設定や解除を行う。感度自動変更モードが設定されている場合、適正露出に近づけるように、露出偏差ΔＥＶに応じて撮像感度を自動的に変更して制御露出が演算される。露出偏差ΔＥＶは、制御露出と適正露出との偏差である。感度自動変更モードが解除されている場合、設定されている撮像感度で適正露出が得られるように制御露出が演算される。
【００１５】
感度設定スイッチＳＷ４は、不図示の撮像感度設定ボタンの押下操作に連動してオンし、オン信号を演算回路１０１へ出力する一方、撮像感度設定ボタンの押下解除に連動してオフし、オフ信号を演算回路１０１へ出力する。演算回路１０１は、感度設定スイッチＳＷ４からオン信号が入力された状態でメインコマンドダイヤル１１０から操作信号が入力されると、操作信号に応じて上述した撮像素子１２１の撮像感度の設定値を変更する。設定撮像感度ＳＶｓの設定範囲は、たとえば、５≦ＳＶｓ≦９、すなわち、ＩＳＯ１００相当〜ＩＳＯ１６００相当の範囲で設定可能に構成されている。
【００１６】
測光装置１０２は、撮影レンズＬを通過したレンズ透過光量を検出し、検出信号を演算回路１０１へ出力する。演算回路１０１は、測光装置１０２からの検出信号を用いて被写体の明るさを算出する。
【００１７】
シャッタ制御回路１０３は、シャッタ１０４の不図示の先幕および後幕の保持および解除をそれぞれ制御する。
【００１８】
モータ制御回路１０５は、演算回路１０１の指令によってシーケンスモータ１０６の回転を制御する。シーケンスモータ１０６は不図示のシーケンス駆動装置に組み込まれ、不図示のミラーのアップ／ダウン、不図示の絞りの絞り込み／開放復帰、およびシャッタ１０４のチャージなどを行う。
【００１９】
シーケンススイッチＳＷ１は上記シーケンス駆動装置を構成し、シーケンスモータ１０６の駆動およびブレーキ制御タイミングなどを示す信号を発生する。
【００２０】
絞り位置検出装置１０７は、絞り値に対応する絞り位置を検出して検出信号を演算回路１０１へ出力する。絞り係止装置１０８は、駆動中の絞りを係止し、所定の絞り値で絞りを停止させる。
【００２１】
表示装置１０９は、演算回路１０１の指令により、電子カメラに設定されている露出モード、シャッタ速度、絞り値、撮影可能コマ数、撮像感度などを表示する。表示装置１０９はファインダー内表示装置１０９１およびカメラの筐体に配設される外部表示装置１０９２によって構成される。図２は、ファインダー内表示装置１０９１の表示セグメントを例示する図であり、図３は、外部表示装置１０９２の表示セグメントを例示する図である。
【００２２】
レリーズスイッチＳＷ２は、不図示のレリーズボタンの押下操作に連動してオンし、オン信号を演算回路１０１へ出力する。レリーズスイッチＳＷ２は、レリーズボタンの押下解除に連動してオフし、オフ信号を演算回路１０１へ出力する。
【００２３】
本実施形態の電子カメラは、表示装置１０９による表示動作に関し、とくに、感度自動変更モードに設定されている状態で自動変更した撮像感度、および感度設定スイッチＳＷ４とメインコマンドダイヤル１１０からの操作信号によって電子カメラに設定されている撮像感度を適切に表示するものである。
【００２４】
（メイン処理）
本実施形態による電子カメラの演算回路１０１で行われるカメラ動作処理の流れについて、図４のフローチャートを参照して説明する。図４のフローチャートによるプログラムは、電子カメラに不図示の電池が装填されると起動する。図４のステップＳ１において、演算回路１０１は以下の初期設定を行う。すなわち、設定撮像感度ＳＶｓを７（ＩＳＯ４００に相当）に、設定シャッタ速度ＴＶｓを７（１／１２５秒）に、設定絞り値ＡＶｓを５（Ｆ５．６）に、モードパラメータＭを１に、感度自動変更モードフラグＳを０に、それぞれセットしてステップＳ２へ進む。なお、ＳＶｓ、ＴＶｓ、およびＡＶｓは、それぞれアペックス値が用いられる。
【００２５】
露出モードパラメータＭは、電子カメラがプログラムオート露出演算モード（Ｐ）に設定されると１に、シャッタ速度優先（露光時間優先）露出演算モード（Ｓ）に設定されると２に、絞り値優先露出演算モード（Ａ）に設定されると３に、マニュアル露出モード（Ｍ）に設定されると４に、それぞれセットされるパラメータである。感度自動変更モードフラグＳは、電子カメラが感度自動変更モードに設定されると１に、感度自動変更モードが解除されると０にされるフラグである。
【００２６】
ステップＳ２において、演算回路１０１は、測光装置１０２から入力される検出信号によってレンズ透過光量（ＢＶ−ＡＶ0）を演算し、この演算値を用いて被写体輝度ＢＶを演算する測光を行い、ステップＳ３へ進む。被写体輝度ＢＶは、レンズ透過光量（ＢＶ−ＡＶ0）に開放絞り値ＡＶ0を加算することにより求めることができる。なお、本実施の形態ではＡＶ0＝３、すなわちＦ２．８とする。
【００２７】
ステップＳ３において、演算回路１０１は、露出演算処理を行ってステップＳ４へ進む。露出演算処理の詳細については後述する。ステップＳ４において、演算回路１０１は、表示装置１０９に対する表示処理を行ってステップＳ５へ進む。表示処理の詳細については後述する。
【００２８】
ステップＳ５において、演算回路１０１は、設定処理を行ってステップＳ６へ進む。設定処理の詳細については後述する。ステップＳ６において、演算回路１０１は、再び表示装置１０９に対する表示処理を行ってステップＳ７へ進む。
【００２９】
ステップＳ７において、演算回路１０１は、レリーズ操作されたか否かを判定する。演算回路１０１は、レリーズスイッチＳＷ２からオン信号が入力された場合にステップＳ７を肯定判定してステップＳ８へ進み、レリーズスイッチＳＷ２からオン信号が入力されない場合にはステップＳ７を否定判定してステップＳ２へ戻る。
【００３０】
ステップＳ８において、演算回路１０１は、レリーズシーケンス処理を行ってステップＳ２へ戻る。レリーズシーケンス処理の詳細については後述する。これにより、一連の撮影処理が終了する。
【００３１】
（露出演算処理）
露出演算処理の詳細について、図５〜図７のフローチャートを参照して説明する。図５のステップＳ１０１において、演算回路１０１は、ステップＳ２にてレンズ透過光量（ＢＶ−ＡＶ0）をもとに算出した被写体輝度ＢＶを用いて、ＥＶ＝ＢＶ＋ＳＶｓを演算してステップＳ１０２へ進む。ここで、ＥＶは露出値である。設定撮像感度ＳＶｓは、感度設定スイッチ１０４およびメインコマンドダイヤル１１０からの操作信号によって設定されている撮像感度である。
【００３２】
ステップＳ１０２において、演算回路１０１は、露出モードパラメータＭ＝１か否かを判定する。演算回路１０１は、Ｍ＝１（プログラムオート露出演算モード（Ｐ）に設定されている）の場合にステップＳ１０２を肯定判定してステップＳ１０３へ進み、Ｍ≠１の場合にはステップＳ１０２を否定判定し、図７のステップＳ１４１へ進む。
【００３３】
（プログラムオート露出演算）
ステップＳ１０３以降はプログラムオート露出演算処理を行う。ステップＳ１０３において、演算回路１０１は、ＡＶｃ＝ＥＶ／２−１を演算してステップＳ１０４へ進む。ここで、ＡＶｃは制御絞り値である。ステップＳ１０４において、演算回路１０１はＡＶｃ＜３が成立するか否かを判定する。演算回路１０１は、ＡＶｃ＜３が成立する（制御絞り値による絞り口径がＦ２．８の絞り口径より大きい）場合にステップＳ１０４を肯定判定してステップＳ１０５へ進み、ＡＶｃ＜３が成立しない場合にはステップＳ１０４を否定判定してステップＳ１０８へ進む。Ｆ２．８は本実施形態の制御限界である。ステップＳ１０５において、演算回路１０１は、制御絞り値ＡＶｃを３にセットしてステップＳ１０６へ進む。これにより、制御絞り値が制御範囲の下限にセットされる。
【００３４】
ステップＳ１０６において、演算回路１０１は、ＴＶｃ＝ＥＶ−３を演算してステップＳ１１２へ進む。ここで、ＴＶｃは制御シャッタ速度である。
【００３５】
ステップＳ１０８において、演算回路１０１はＡＶｃ＞９が成立するか否かを判定する。演算回路１０１は、ＡＶｃ＞９が成立する（制御絞り値による絞り口径がＦ２２の絞り口径より小さい）場合にステップＳ１０８を肯定判定してステップＳ１０９へ進み、ＡＶｃ＞９が成立しない場合にはステップＳ１０８を否定判定してステップＳ１１１へ進む。Ｆ２２は本実施形態の制御限界である。ステップＳ１０９において、演算回路１０１は、制御絞り値ＡＶｃを９にセットしてステップＳ１１０へ進む。これにより、制御絞り値が制御範囲の上限にセットされる。
【００３６】
ステップＳ１１０において、演算回路１０１は、ＴＶｃ＝ＥＶ−９を演算してステップＳ１１２へ進む。ここで、ＴＶｃは制御シャッタ速度である。
【００３７】
ステップＳ１１１において、演算回路１０１は、ＴＶｃ＝ＥＶ−ＡＶｃを演算してステップＳ１１２へ進む。ここで、ＴＶｃは制御シャッタ速度である。
【００３８】
ステップＳ１１２において、演算回路１０１はＴＶｃ＜０が成立するか否かを判定する。演算回路１０１は、ＴＶｃ＜０が成立する（制御シャッタ速度が１秒より低速）場合にステップＳ１１２を肯定判定してステップＳ１１３へ進み、ＴＶｃ＜０が成立しない場合にはステップＳ１１２を否定判定してステップＳ１１４へ進む。１秒は本実施形態の制御限界である。ステップＳ１１３において、演算回路１０１は、制御シャッタ速度ＴＶｃに０をセットしてステップＳ１１６へ進む。これにより、制御シャッタ速度が制御範囲の下限にセットされる。
【００３９】
ステップＳ１１２を否定判定して進むステップＳ１１４において、演算回路１０１は、ＴＶｃ＞１０が成立するか否かを判定する。演算回路１０１は、ＴＶｃ＞１０が成立する（制御シャッタ速度が１／１０００秒より高速）場合にステップＳ１１４を肯定判定してステップＳ１１５へ進み、ＴＶｃ＞１０が成立しない場合にはステップＳ１１４を否定判定してステップＳ１１６へ進む。１／１０００秒は本実施形態の制御限界である。ステップＳ１１５において、演算回路１０１は、制御シャッタ速度ＴＶｃに１０をセットしてステップＳ１１６へ進む。これにより、制御シャッタ速度が制御範囲の上限にセットされる。
【００４０】
ステップＳ１１６において、演算回路１０１は、感度自動変更モードフラグＳ＝１か否かを判定する。演算回路１０１は、Ｓ＝１（感度自動変更モードに設定）の場合にステップＳ１１６を肯定判定して図６のステップＳ１２１へ進み、Ｓ＝０（感度自動変更モードが解除）の場合にはステップＳ１１６を否定判定してステップＳ１１７へ進む。
【００４１】
ステップＳ１１７において、演算回路１０１は、制御撮像感度ＳＶｃに設定撮像感度ＳＶｓをセットしてステップＳ１１８へ進む。ステップＳ１１８において、演算回路１０１は、フラグＣに０をセットして図５による処理を終了し、図４のステップＳ４へ進む。ここで、フラグＣは撮像感度が設定撮像感度ＳＶｓから変更された場合（ＳＶｃ≠ＳＶｓ）に１、撮像感度が設定撮像感度ＳＶｓから変更されない場合（ＳＶｃ＝ＳＶｓ）に０とするフラグである。
【００４２】
感度自動変更モードに設定されている場合に進む図６のステップＳ１２１において、演算回路１０１は、次式（１）によって露出偏差ΔＥＶを演算してステップＳ１２２へ進む。
ΔＥＶ＝ＡＶｃ＋ＴＶｃ−ＥＶ                  （１）
ただし、（ＡＶｃ＋ＴＶｃ）は制御露出であり、ＥＶは適正露出である。
【００４３】
ステップＳ１２２において、演算回路１０１は、｜ΔＥＶ｜＜δが成立するか否かを判定する。δはあらかじめ定められている１／２以下の所定値であり、ここでは１／６とする。演算回路１０１は、｜ΔＥＶ｜＜δが成立する場合にステップＳ１２２を肯定判定してステップＳ１２４へ進み、｜ΔＥＶ｜＜δが成立しない場合にはステップＳ１２２を否定判定してステップＳ１２３へ進む。ステップＳ１２４へ進む場合は制御露出が適正露出とみなせる場合であり、ステップＳ１２３へ進む場合は適正露出が得られない場合である。
【００４４】
ステップＳ１２３において、演算回路１０１は、ＳＶｃ＝ＳＶｓ＋ΔＥＶを演算してステップＳ１２５へ進む。これにより、適正露出が得られるように設定撮像感度から変更された制御撮像感度か得られる。
【００４５】
ステップＳ１２５において、演算回路１０１は、ＳＶｃ＞９が成立するか否かを判定する。演算回路１０１は、ＳＶｃ＞９が成立する（制御撮像感度がＩＳＯ１６００相当より高い）場合にステップＳ１２５を肯定判定してステップＳ１２６へ進み、ＳＶｃ＞９が成立しない場合にはステップＳ１２５を否定判定してステップＳ１２７へ進む。ＩＳＯ１６００は本実施形態の制御限界である。ステップＳ１２６において、演算回路１０１は、制御感度ＳＶｃに９をセットしてステップＳ１２９へ進む。これにより、制御撮像感度が制御範囲の上限にセットされる。
【００４６】
上述したステップＳ１２５を否定判定して進むステップＳ１２７において、演算回路１０１は、ＳＶｃ＜５が成立するか否かを判定する。演算回路１０１は、ＳＶｃ＜５が成立する（制御撮像感度がＩＳＯ１００相当より低い）場合にステップＳ１２７を肯定判定してステップＳ１２８へ進み、ＳＶｃ＜５が成立しない場合にはステップＳ１２７を否定判定してステップＳ１２９へ進む。ＩＳＯ１００は本実施形態の制御限界である。ステップＳ１２８において、演算回路１０１は、制御感度ＳＶｃに５をセットしてステップＳ１２９へ進む。これにより、制御撮像感度が制御範囲の下限にセットされる。
【００４７】
ステップＳ１２９において、演算回路１０１は、ＳＶｃ＝ＳＶｓが成立するか否かを判定する。演算回路１０１は、ＳＶｃ＝ＳＶｓが成立する場合にステップＳ１２９を肯定判定してステップＳ１３０へ進み、ＳＶｃ＝ＳＶｓが成立しない場合にはステップＳ１２９を否定判定してステップＳ１３１へ進む。ステップＳ１３０において、演算回路１０１は、フラグＣを０にセットして図６による処理を終了し、図２のステップＳ４へ進む。ステップＳ１３１において、演算回路１０１は、フラグＣを１にセットして図６による処理を終了し、図２のステップＳ４へ進む。
【００４８】
図５のステップＳ１０２を否定判定して進む図７のステップＳ１４１において、演算回路１０１は露出モードパラメータＭ＝２か否かを判定する。演算回路１０１は、Ｍ＝２（シャッタ速度優先露出演算モード（Ｓ）に設定されている）の場合にステップＳ１４１を肯定判定してステップＳ１４２へ進み、Ｍ≠２の場合にはステップＳ１４１を否定判定し、ステップＳ１４８へ進む。
【００４９】
（シャッタ速度優先露出演算）
ステップＳ１４２以降はシャッタ速度優先露出演算を行う。ステップＳ１４２において、演算回路１０１は、制御シャッタ速度ＴＶｃに設定シャッタ速度ＴＶｓをセットしてステップＳ１４３へ進む。ステップＳ１４３において、演算回路１０１は、ＡＶｃ＝ＥＶ−ＴＶｃを演算してステップＳ１４４へ進む。ここで、ＡＶｃは制御絞り値である。
【００５０】
ステップＳ１４４において、演算回路１０１は、ＡＶｃ＜３が成立するか否かを判定する。演算回路１０１は、ＡＶｃ＜３が成立する（制御絞り値による絞り口径がＦ２．８の絞り口径より大きい）場合にステップＳ１４４を肯定判定してステップＳ１４５へ進み、ＡＶｃ＜３が成立しない場合にはステップＳ１４４を否定判定してステップＳ１４６へ進む。ステップＳ１４５において、演算回路１０１は、制御絞り値ＡＶｃを３にセットして図５のステップＳ１１６へ進む。これにより、制御絞り値が制御範囲の下限にセットされる。ステップＳ１１６以降は、プログラムオート露出演算の場合と共通である。
【００５１】
ステップＳ１４６において、演算回路１０１は、ＡＶｃ＞９が成立するか否かを判定する。演算回路１０１は、ＡＶｃ＞９が成立する（制御絞り値による絞り口径がＦ２２の絞り口径より小さい）場合にステップＳ１４６を肯定判定してステップＳ１４７へ進み、ＡＶｃ＞９が成立しない場合にはステップＳ１４６を否定判定して図５のステップＳ１１６へ進む。ステップＳ１４７において、演算回路１０１は、制御絞り値ＡＶｃを９にセットして図５のステップＳ１１６へ進む。これにより、制御絞り値が制御範囲の上限にセットされる。
【００５２】
上述したステップＳ１４１を否定判定して進むステップＳ１４８において、演算回路１０１は、露出モードパラメータＭ＝３か否かを判定する。演算回路１０１は、Ｍ＝３（絞り値優先露出演算モード（Ａ）に設定されている）の場合にステップＳ１４８を肯定判定してステップＳ１４９へ進み、Ｍ≠３の場合にはステップＳ１４８を否定判定してステップＳ１５５へ進む。
【００５３】
（絞り値優先露出演算）
ステップＳ１４９以降は絞り値優先露出演算処理を行う。ステップＳ１４９において、演算回路１０１は、制御絞り値ＡＶｃに設定絞り値ＡＶｓをセットしてステップＳ１５０へ進む。ステップＳ１５０において、演算回路１０１は、ＴＶｃ＝ＥＶ−ＡＶｃを演算してステップＳ１５１へ進む。ここで、ＴＶｃは制御シャッタ速度である。
【００５４】
ステップＳ１５１において、演算回路１０１は、ＴＶｃ＜０が成立するか否かを判定する。演算回路１０１は、ＴＶｃ＜０が成立する（制御シャッタ速度が１秒より低速）場合にステップＳ１５１を肯定判定してステップＳ１５２へ進み、ＴＶｃ＜０が成立しない場合にはステップＳ１５１を否定判定してステップＳ１５３へ進む。ステップＳ１５２において、演算回路１０１は、制御シャッタ速度ＴＶｃに０をセットして図５のステップＳ１１６へ進む。これにより、制御シャッタ速度が制御範囲の下限にセットされる。ステップＳ１１６以降は、プログラムオート露出演算の場合と共通である。
【００５５】
ステップＳ１５１を否定判定して進むステップＳ１５３において、演算回路１０１は、ＴＶｃ＞１０が成立するか否かを判定する。演算回路１０１は、ＴＶｃ＞１０が成立する（制御シャッタ速度が１／１０００秒より高速）場合にステップＳ１５３を肯定判定してステップＳ１５４へ進み、ＴＶｃ＞１０が成立しない場合にはステップＳ１５３を否定判定して図５のステップＳ１１６へ進む。ステップＳ１５４において、演算回路１０１は、制御シャッタ速度ＴＶｃに１０をセットして図５のステップＳ１１６へ進む。これにより、制御シャッタ速度が制御範囲の上限にセットされる。
【００５６】
（マニュアル露出演算）
ステップＳ１５５以降はマニュアル露出演算処理を行う。ステップＳ１５５において、演算回路１０１は、制御シャッタ速度ＴＶｃに設定シャッタ速度ＴＶｓをセットしてステップＳ１５６へ進む。ステップＳ１５６において、演算回路１０１は、制御絞り値ＡＶｃに設定絞り値ＡＶｓをセットして図５のステップＳ１１６へ進む。ステップＳ１１６以降は、プログラムオート露出演算の場合と共通である。
【００５７】
（表示処理）
表示処理の詳細について、図８のフローチャートを参照して説明する。図８のステップＳ１６１において、演算回路１０１はファインダー内表示装置１０９１および外部表示装置１０９２のそれぞれに指令を送出し、設定されている露出モード、制御シャッタ速度ＴＶｃ、制御絞り値ＡＶｃをそれぞれ点灯表示させてステップＳ１６２へ進む。ファインダー内表示装置１０９１および外部表示装置１０９２のそれぞれは、設定されている露出モードに対応する文字もしくはマーク（たとえば、「Ｐ」、「Ｓ」、「Ａ」、「Ｍ」のいずれか）と、アペックス値に対応するシャッタ速度と絞り値とを表示する。
【００５８】
図９は、ファインダー内表示装置１０９１による表示内容を例示する図である。図９において、露出モードを示す表示セグメント「Ａ」９１、シャッタ速度（１／１２５秒）を示す表示セグメント「１２５」９２、および絞り値を示す表示セグメント「Ｆ５．６」９３がそれぞれ点灯表示されている。
【００５９】
図１０は、外部表示装置１０９２による表示内容を例示する図である。図１０において、露出モードを示す表示セグメント「Ａ」１０１、シャッタ速度（１／１２５秒）を示す表示セグメント「１２５」１０２、および絞り値を示す表示セグメント「Ｆ５．６」１０３がそれぞれ点灯表示されている。
【００６０】
図８のステップＳ１６２において、演算回路１０１は感度自動変更モードフラグＳ＝１か否かを判定する。演算回路１０１は、Ｓ＝１（感度自動変更モードに設定）の場合にステップＳ１６２を肯定判定してステップＳ１６３へ進み、Ｓ＝０（感度自動変更モードが解除）の場合にはステップＳ１６２を否定判定して図８による処理を終了する。図８の処理終了後は、図４において設定処理（ステップＳ５）前であればステップＳ５へ進み、設定処理（ステップＳ５）済みであればステップＳ７へ進む。
【００６１】
ステップＳ１６３において、演算回路１０１はフラグＣ＝１か否かを判定する。演算回路１０１は、Ｃ＝１（感度自動変更モードにおいて撮像感度が設定撮像感度ＳＶｓから変更された）の場合にステップＳ１６３を肯定判定してステップＳ１６４へ進み、Ｃ＝０（撮像感度が設定撮像感度ＳＶｓから変更されていない）の場合にステップＳ１６３を否定判定し、ステップＳ１６５へ進む。
【００６２】
ステップＳ１６４において、演算回路１０１はファインダー内表示装置１０９１および外部表示装置１０９２のそれぞれに指令を送出し、「ＩＳＯ  Ａｕｔｏ」の文字もしくはマークを点滅表示させて図８による処理を終了する。図８の処理終了後は、図４において設定処理（ステップＳ５）前であればステップＳ５へ進み、設定処理（ステップＳ５）済みであればステップＳ７へ進む。
【００６３】
図１１は、ファインダー内表示装置１０９１による表示内容を例示する図である。図９に例示した表示内容に加えて表示セグメント「ＩＳＯ  Ａｕｔｏ」９４Ａが点滅表示され、露出演算処理によって制御撮像感度ＳＶｃが設定撮像感度ＳＶｓから変更されたことを示す。なお、シャッタ速度は露出演算処理によって低速限界まで変更され、（１秒）を示す表示セグメント「１”」９２Ａが点灯表示されている。
【００６４】
図１２は、外部表示装置１０９２による表示内容を例示する図である。図１０に例示した表示内容に加えて表示セグメント「ＩＳＯ  Ａｕｔｏ」１０４Ａが点滅表示され、露出演算処理によって制御撮像感度ＳＶｃが設定撮像感度ＳＶｓから自動変更されたことを示す。なお、シャッタ速度は露出演算処理によって低速限界まで変更され、（１秒）を示す表示セグメント「１”」１０２Ａが点灯表示されている。
【００６５】
ステップＳ１６５において、演算回路１０１はファインダー内表示装置１０９１および外部表示装置１０９２のそれぞれに指令を送出し、「ＩＳＯ  Ａｕｔｏ」の文字もしくはマークを点灯表示させて図８による処理を終了する。図８の処理終了後は、図４において設定処理（ステップＳ５）前であればステップＳ５へ進み、設定処理（ステップＳ５）済みであればステップＳ７へ進む。
【００６６】
図１３は、ファインダー内表示装置１０９１による表示内容を例示する図である。図９に例示した表示内容に加えて、表示セグメント「ＩＳＯ  Ａｕｔｏ」９４が点灯表示されている。
【００６７】
図１４は、外部表示装置１０９２による表示内容を例示する図である。図１０に例示した表示内容に加えて、表示セグメント「ＩＳＯ  Ａｕｔｏ」１０４が点灯表示されている。
【００６８】
（設定処理）
設定処理の詳細について、図１５、図１６および図１７のフローチャートを参照して説明する。図１５のステップＳ１７１において、演算回路１０１は感度設定スイッチＳＷ４がオンされているか否かを判定する。演算回路１０１は、感度設定スイッチＳＷ４からオン信号が入力されている場合にステップＳ１７１を肯定判定してステップＳ１７２へ進み、感度設定スイッチＳＷ４からオン信号が入力されていない場合にはステップＳ１７１を否定判定し、図１６のステップＳ１９１へ進む。
【００６９】
ステップＳ１７２において、演算回路１０１は、メインコマンドダイヤル１１０が反時計方向に回転されたか否かを判定する。演算回路１０１は、メインコマンドダイヤル１１０から反時計回転を示す操作信号が入力された場合にステップＳ１７２を肯定判定してステップＳ１７３へ進み、反時計回転を示す操作信号が入力されない場合にはステップＳ１７２を否定判定し、ステップＳ１７５へ進む。
【００７０】
ステップＳ１７３において、演算回路１０１はＳＶｓ＝９か否かを判定する。演算回路１０１は、ＳＶｓ＝９（設定撮像感度がＩＳＯ１６００相当）の場合にステップＳ１７３を肯定判定してステップＳ１７８へ進む。この場合は、撮像感度設定範囲の上限なのでさらなる感度アップをしない。一方、演算回路１０１は、ＳＶｓ≠９の場合にステップＳ１７３を否定判定し、ステップＳ１７４へ進む。ステップＳ１７４において、演算回路１０１は、設定撮像感度ＳＶｓに１を加算してステップＳ１７８へ進む。これにより、設定撮像感度ＳＶｓが１段階高く変更される。
【００７１】
ステップＳ１７５において、演算回路１０１は、メインコマンドダイヤル１１０が時計方向に回転されたか否かを判定する。演算回路１０１は、メインコマンドダイヤル１１０から時計回転を示す操作信号が入力された場合にステップＳ１７５を肯定判定してステップＳ１７６へ進み、時計回転を示す操作信号が入力されない場合にはステップＳ１７５を否定判定し、ステップＳ１７８へ進む。
【００７２】
ステップＳ１７６において、演算回路１０１は、ＳＶｓ＝５か否かを判定する。演算回路１０１は、ＳＶｓ＝５（設定撮像感度がＩＳＯ１００相当）の場合にステップＳ１７６を肯定判定してステップＳ１７８へ進む。この場合は、撮像感度設定範囲の下限なのでさらなる感度ダウンをしない。一方、演算回路１０１は、ＳＶｓ≠５の場合にステップＳ１７６を否定判定し、ステップＳ１７７へ進む。ステップＳ１７７において、演算回路１０１は、設定撮像感度ＳＶｓから１を減算してステップＳ１７８へ進む。これにより、設定撮像感度ＳＶｓが１段階低く変更される。
【００７３】
ステップＳ１７８において、演算回路１０１は、ステップＳ２（図４）と同様に測光を行ってステップＳ１７９へ進む。ステップＳ１７９において、演算回路１０１は、ステップＳ３（図４）と同様に露出演算を行ってステップＳ１８０へ進む。
【００７４】
ステップＳ１８０において、演算回路１０１は外部表示装置１０９２に指令を送出し、「ＩＳＯ」の文字もしくはマークと、設定撮像感度ＳＶｓとをそれぞれ点灯表示させてステップＳ１８１へ進む。外部表示装置１０９２は「ＩＳＯ」と、アペックス値に対応する撮像感度とを表示する。図１８は、外部表示装置１０９２による表示内容を例示する図である。図１８において、表示セグメント「ＩＳＯ」１８１が点灯表示されて撮像感度の変更操作が行われていることを示し、表示セグメント「８ｏｏ」１８２が点灯表示されて設定撮像感度がＩＳＯ８００相当であることを示す。他の表示セグメントは非表示にされる。
【００７５】
ステップＳ１８１において、演算回路１０１は、感度自動変更モードフラグＳ＝１か否かを判定する。演算回路１０１は、Ｓ＝１（感度自動変更モードに設定）の場合にステップＳ１８１を肯定判定してステップＳ１８２へ進み、Ｓ＝０（感度自動変更モードが解除）の場合にはステップＳ１８１を否定判定してステップＳ１８５へ進む。
【００７６】
ステップＳ１８２において、演算回路１０１は、フラグＣ＝１か否かを判定する。演算回路１０１は、Ｃ＝１（感度自動変更モードにおいて撮像感度が設定撮像感度ＳＶｓから変更された）の場合にステップＳ１８２を肯定判定してステップＳ１８３へ進み、Ｃ＝０（撮像感度が設定撮像感度ＳＶｓから変更されていない）の場合にステップＳ１８２を否定判定し、ステップＳ１８４へ進む。
【００７７】
ステップＳ１８３において、演算回路１０１はファインダー内表示装置１０９１に指令を送出し、「ＩＳＯ  Ａｕｔｏ」の文字もしくはマークを点滅表示させるとともに、制御撮像感度ＳＶｃを点灯表示させてステップＳ１８６へ進む。ファインダー内表示装置１０９１は「ＩＳＯ  Ａｕｔｏ」を点滅表示し、アペックス値に対応する撮像感度を点灯表示する。図１９は、ファインダー内表示装置１０９１による表示内容を例示する図である。図１９において、表示セグメント「ＩＳＯ  Ａｕｔｏ」９４Ａが点滅表示され、露出演算処理によって制御撮像感度ＳＶｃが設定撮像感度ＳＶｓから自動変更されたことを示す。また、変更後の制御撮像感度ＳＶｃ（ＩＳＯ１６００相当）を示す表示セグメント「１６ｏｏ」１９１Ａが点灯表示され、他の表示セグメントは非表示にされる。
【００７８】
ステップＳ１８４において、演算回路１０１はファインダー内表示装置１０９１に指令を送出し、「ＩＳＯ  Ａｕｔｏ」の文字もしくはマーク、および制御撮像感度ＳＶｃをそれぞれ点灯表示させてステップＳ１８６へ進む。ファインダー内表示装置１０９１は「ＩＳＯ  Ａｕｔｏ」とアペックス値に対応する撮像感度とをそれぞれ点灯表示する。図２０は、ファインダー内表示装置１０９１による表示内容を例示する図である。図２０において、表示セグメント「ＩＳＯ  Ａｕｔｏ」９４と、制御撮像感度ＳＶｃ（ＩＳＯ８００相当）を示す表示セグメント「８ｏｏ」１９１とが点灯表示され、他の表示セグメントは非表示にされる。この場合の制御撮像感度ＳＶｃは設定撮像感度ＳＶｓと等しい。
【００７９】
ステップＳ１８５において、演算回路１０１はファインダー内表示装置１０９１に指令を送出し、設定撮像感度ＳＶｓを点灯表示させてステップＳ１８６へ進む。ファインダー内表示装置１０９１はアペックス値に対応する撮像感度を点灯表示する。図２１は、ファインダー内表示装置１０９１による表示内容を例示する図である。図２１において、設定撮像感度ＳＶｓ（ＩＳＯ８００相当）を示す表示セグメント「８ｏｏ」１９１が点灯表示され、他の表示セグメントは非表示にされる。この場合の制御撮像感度ＳＶｃは設定撮像感度ＳＶｓと等しい。
【００８０】
ステップＳ１８６において、演算回路１０１は、感度設定スイッチＳＷ４がオフされているか否かを判定する。演算回路１０１は、感度設定スイッチＳＷ４からオフ信号が入力されている場合にステップＳ１８６を肯定判定して図１５による処理を終了し、図４のステップＳ６へ進む。演算回路１０１は、感度設定スイッチＳＷ４からオフ信号が入力されていない場合にはステップＳ１８６を否定判定し、ステップＳ１７２へ戻る。
【００８１】
上述したステップＳ１７１を否定判定して進む図１６のステップＳ１９１において、演算回路１０１は、感度自動変更モードの設定変更か否かを判定する。演算回路１０１は、感度自動変更モード設定操作部材１１２から操作信号が入力された場合にステップＳ１９１を肯定判定してステップＳ１９２へ進み、操作信号が入力されない場合にはステップＳ１９１を否定判定してステップＳ１９５へ進む。
【００８２】
ステップＳ１９２において、演算回路１０１は、感度自動変更モードフラグＳ＝０か否かを判定する。演算回路１０１は、Ｓ＝０（感度自動変更モードが解除）の場合にステップＳ１９２を肯定判定してステップＳ１９３へ進み、Ｓ＝１（感度自動変更モードに設定）の場合にはステップＳ１９２を否定判定してステップＳ１９４へ進む。
【００８３】
ステップＳ１９３において、演算回路１０１は、フラグＳを１にセットして図１６による処理を終了し、図４のステップＳ６へ進む。ステップＳ１９４において、演算回路１０１は、フラグＳを０にセットして図１６による処理を終了し、図４のステップＳ６へ進む。
【００８４】
ステップＳ１９１を否定判定して進むステップＳ１９５において、演算回路１０１は、露出モードスイッチＳＷ３がオンされているか否かを判定する。演算回路１０１は、露出モードスイッチＳＷ３からオン信号が入力されている場合にステップＳ１９５を肯定判定してステップＳ１９６へ進み、露出モードスイッチＳＷ３からオン信号が入力されていない場合にはステップＳ１９５を否定判定し、図１７のステップＳ２１１へ進む。
【００８５】
ステップＳ１９６において、演算回路１０１は、メインコマンドダイヤル１１０が反時計方向に回転されたか否かを判定する。演算回路１０１は、メインコマンドダイヤル１１０から反時計回転を示す操作信号が入力された場合にステップＳ１９６を肯定判定してステップＳ１９７へ進み、反時計回転を示す操作信号が入力されない場合にはステップＳ１９６を否定判定し、ステップＳ２００へ進む。
【００８６】
ステップＳ１９７において、演算回路１０１は、露出モードパラメータＭ＝４か否かを判定する。演算回路１０１は、Ｍ＝４（マニュアル露出モード）の場合にステップＳ１９７を肯定判定してステップＳ１９９へ進み、Ｍ≠４の場合にはステップＳ１９７を否定判定し、ステップＳ１９８へ進む。ステップＳ１９８において、演算回路１０１は、Ｍの値に１を加算してステップＳ２０４へ進む。ステップＳ１９９において、演算回路１０１は、Ｍの値に１をセットしてステップＳ２０４へ進む。これにより、露出モードがＰ→Ｓ→Ａ→Ｍ→Ｐ…とサイクリックに変更される。
【００８７】
ステップＳ２００において、演算回路１０１は、メインコマンドダイヤル１１０が時計方向に回転されたか否かを判定する。演算回路１０１は、メインコマンドダイヤル１１０から時計回転を示す操作信号が入力された場合にステップＳ２００を肯定判定してステップＳ２０１へ進み、時計回転を示す操作信号が入力されない場合にはステップＳ２００を否定判定し、ステップＳ２０４へ進む。
【００８８】
ステップＳ２０１において、演算回路１０１は露出モードパラメータＭ＝１か否かを判定する。演算回路１０１は、Ｍ＝１（プログラムオート露出演算モード）の場合にステップＳ２０１を肯定判定してステップＳ２０３へ進み、Ｍ≠１の場合にはステップＳ２０１を否定判定し、ステップＳ２０２へ進む。ステップＳ２０２において、演算回路１０１は、Ｍの値から１を減算してステップＳ２０４へ進む。ステップＳ２０３において、演算回路１０１は、Ｍの値に４をセットしてステップＳ２０４へ進む。これにより、露出モードがＭ→Ａ→Ｓ→Ｐ→Ｍ…とサイクリックに変更される。
【００８９】
ステップＳ２０４において、演算回路１０１はファインダー内表示装置１０９１および外部表示装置１０９２のそれぞれに指令を送出し、設定露出モードを点灯表示させてステップＳ２０５へ進む。ファインダー内表示装置１０９１および外部表示装置１０９２のそれぞれは、設定されている露出モードに対応する文字もしくはマーク（たとえば、「Ｐ」、「Ｓ」、「Ａ」、「Ｍ」のいずれか）を点灯表示する。
【００９０】
ステップＳ２０５において、演算回路１０１は、露出モードスイッチＳＷ３がオフされているか否かを判定する。演算回路１０１は、露出モードスイッチＳＷ３からオフ信号が入力されている場合にステップＳ２０５を肯定判定して図１６による処理を終了し、図４のステップＳ６へ進む。演算回路１０１は、露出モードスイッチＳＷ３からオフ信号が入力されていない場合にはステップＳ２０５を否定判定し、ステップＳ１９６へ戻る。
【００９１】
上述したステップＳ１９５を否定判定して進む図１７のステップＳ２１１において、演算回路１０１は、露出モードパラメータＭ＝２か否かを判定する。演算回路１０１は、Ｍ＝２（シャッタ速度優先露出演算モード）の場合にステップＳ２１１を肯定判定してステップＳ２１３へ進み、Ｍ≠２の場合にはステップＳ２１１を否定判定し、ステップＳ２１２へ進む。
【００９２】
ステップＳ２１２において、演算回路１０１は、露出モードパラメータＭ＝４か否かを判定する。演算回路１０１は、Ｍ＝４（マニュアル露出モード）の場合にステップＳ２１２を肯定判定してステップＳ２１３へ進み、Ｍ≠４の場合にはステップＳ２１２を否定判定し、ステップＳ２１９へ進む。
【００９３】
ステップＳ２１３において、演算回路１０１は、メインコマンドダイヤル１１０が反時計方向に回転されたか否かを判定する。演算回路１０１は、メインコマンドダイヤル１１０から反時計回転を示す操作信号が入力された場合にステップＳ２１３を肯定判定してステップＳ２１４へ進み、反時計回転を示す操作信号が入力されない場合にはステップＳ２１３を否定判定し、ステップＳ２１６へ進む。
【００９４】
ステップＳ２１４において、演算回路１０１はＴＶｓ＝１０か否かを判定する。演算回路１０１は、ＴＶｓ＝１０（設定シャッタ速度が１／１０００秒）の場合にステップＳ２１４を肯定判定して図１７による処理を終了し、図４のステップＳ６へ進む。この場合は、シャッタ速度設定範囲の上限なので高速化しないで設定処理を終了する。一方、演算回路１０１は、ＴＶｓ≠１０の場合にステップＳ２１４を否定判定し、ステップＳ２１５へ進む。ステップＳ２１５において、演算回路１０１は、設定シャッタ速度ＴＶｓに１を加算して図１７による処理を終了し、図４のステップＳ６へ進む。これにより、設定シャッタ速度ＴＶｓが１段階高速になる。
【００９５】
ステップＳ２１６において、演算回路１０１は、メインコマンドダイヤル１１０が時計方向に回転されたか否かを判定する。演算回路１０１は、メインコマンドダイヤル１１０から時計回転を示す操作信号が入力された場合にステップＳ２１６を肯定判定してステップＳ２１７へ進み、時計回転を示す操作信号が入力されない場合にはステップＳ２１６を否定判定し、ステップＳ２１９へ進む。
【００９６】
ステップＳ２１７において、演算回路１０１はＴＶｓ＝０か否かを判定する。演算回路１０１は、ＴＶｓ＝０（設定シャッタ速度が１秒）の場合にステップＳ２１７を肯定判定して図１７による処理を終了し、図４のステップＳ６へ進む。この場合は、シャッタ速度設定範囲の下限なので低速化しないで設定処理を終了する。一方、演算回路１０１は、ＴＶｓ≠０の場合にステップＳ２１７を否定判定し、ステップＳ２１８へ進む。ステップＳ２１８において、演算回路１０１は、設定シャッタ速度ＴＶｓから１を減算して図１７による処理を終了し、図４のステップＳ６へ進む。これにより、設定シャッタ速度ＴＶｓが１段階低速になる。
【００９７】
ステップＳ２１９において、演算回路１０１は露出モードパラメータＭ＝３か否かを判定する。演算回路１０１は、Ｍ＝３（絞り値優先露出演算モード）の場合にステップＳ２１９を肯定判定してステップＳ２２１へ進み、Ｍ≠３の場合にはステップＳ２１９を否定判定し、ステップＳ２２０へ進む。
【００９８】
ステップＳ２２０において、演算回路１０１は露出モードパラメータＭ＝４か否かを判定する。演算回路１０１は、Ｍ＝４（マニュアル露出モード）の場合にステップＳ２２０を肯定判定してステップＳ２２１へ進み、Ｍ≠４の場合にはステップＳ２２０を否定判定し、図１７による処理を終了して図４のステップＳ６へ進む。
【００９９】
ステップＳ２２１において、演算回路１０１は、サブコマンドダイヤル１１１が時計方向に回転されたか否かを判定する。演算回路１０１は、サブコマンドダイヤル１１１から時計回転を示す操作信号が入力された場合にステップＳ２２１を肯定判定してステップＳ２２２へ進み、時計回転を示す操作信号が入力されない場合にはステップＳ２２１を否定判定し、ステップＳ２２４へ進む。
【０１００】
ステップＳ２２２において、演算回路１０１はＡＶｓ＝９か否かを判定する。演算回路１０１は、ＡＶｓ＝９（設定絞り値がＦ２２）の場合にステップＳ２２２を肯定判定して図１７による処理を終了し、図４のステップＳ６へ進む。この場合は、絞り値設定範囲の上限なので設定処理を終了する。演算回路１０１は、ＡＶｓ≠９の場合にはステップＳ２２２を否定判定してステップＳ２２３へ進む。
【０１０１】
ステップＳ２２３において、演算回路１０１は、設定絞り値ＡＶｓに１を加算して図１７による処理を終了し、図４のステップＳ６へ進む。これにより、絞り口径が１絞り分小さくなる（設定絞り値ＡＶｓを１段階大きくする）。
【０１０２】
ステップＳ２２４において、演算回路１０１は、サブコマンドダイヤル１１１が反時計方向に回転されたか否かを判定する。演算回路１０１は、サブコマンドダイヤル１１１から反時計回転を示す操作信号が入力された場合にステップＳ２２４を肯定判定してステップＳ２２５へ進み、反時計回転を示す操作信号が入力されない場合にはステップＳ２２４を否定判定して図１７による処理を終了し、図４のステップＳ６へ進む。
【０１０３】
ステップＳ２２５において、演算回路１０１はＡＶｓ＝３か否かを判定する。演算回路１０１は、ＡＶｓ＝３（設定絞り値がＦ２．８）の場合にステップＳ２２５を肯定判定して図１７による処理を終了し、図４のステップＳ６へ進む。この場合は、絞り値設定範囲の下限なので設定処理を終了する。演算回路１０１は、ＡＶｓ≠３の場合にはステップＳ２２５を否定判定してステップＳ２２６へ進む。
【０１０４】
ステップＳ２２６において、演算回路１０１は、設定絞り値ＡＶｓから１を減算して図１７による処理を終了し、図４のステップＳ６へ進む。これにより、絞り口径が１絞り分大きくなる（設定絞り値ＡＶｓを１段階小さくする）。
【０１０５】
（レリーズシーケンス処理）
レリーズシーケンス処理の詳細について、図２２のフローチャートを参照して説明する。図２２のステップＳ２３１において、演算回路１０１はシャッタ制御回路１０３に指令を出力し、シャッタ１０４の不図示のマグネットに通電して先幕および後幕を保持させる。ステップＳ２３２において、演算回路１０１はモータ制御回路１０５に指令を出力し、シーケンスモータ１０６に正転を開始させてステップＳ２３３へ進む。これにより、不図示のミラーのミラーアップおよび絞りの絞り込みが開始される。ステップＳ２３３において、演算回路１０１は、絞り位置検出装置１０７から入力される信号によって駆動絞り値ＡＶｋを検出してステップＳ２３４へ進む。
【０１０６】
ステップＳ２３４において、演算回路１０１は、駆動絞り値ＡＶｋおよび制御絞り値ＡＶｃとの間にＡＶｋ≧ＡＶｃが成立するか否かを判定する。演算回路１０１は、ＡＶｋ≧ＡＶｃが成立する場合にステップＳ２３４を肯定判定してステップＳ２３５へ進み、ＡＶｋ≧ＡＶｃが成立しない場合にはステップＳ２３４を否定判定する。否定判定する場合には、絞り込みを継続するようにステップＳ２３３へ戻る。
【０１０７】
ステップＳ２３５において、演算回路１０１は絞り係止装置１０８に指令を出力し、絞りを係止させてステップＳ２３６へ進む。ステップＳ２３６において、演算回路１０１は、ミラーアップが終了したか否かを判定する。演算回路１０１は、シーケンススイッチＳＷ１からオン信号が入力されるとステップＳ２３６を肯定判定してステップＳ２３７へ進み、シーケンススイッチＳＷ１からオン信号が入力されない場合にはステップＳ２３６を否定判定する。否定判定する場合には、ミラーアップを継続するように判定処理を繰り返す。
【０１０８】
ステップＳ２３７において、演算回路１０１はモータ制御回路１０５に指令を出力し、シーケンスモータ１０６を停止させてステップＳ２３８へ進む。なお、ミラーアップの終了より先に絞り係止装置１０８によって絞りの係止が終了するように不図示のシーケンス駆動装置が構成されている。ステップＳ２３８において、演算回路１０１は、タイミング回路１２４に駆動信号の発生を開始させて撮像素子１２１の駆動を開始し、ステップＳ２３９へ進む。これにより、撮像素子１２１が電荷蓄積を開始する。
【０１０９】
ステップＳ２３９において、演算回路１０１は、所定時間（少なくともミラーアップ時のバウンドが安定するまで）のウェイトを実施してステップＳ２４０へ進む。ステップＳ２４０において、演算回路１０１はシャッタ制御回路１０３に指令を出力し、シャッタ１０４の不図示のマグネットへの通電を解除して先幕保持を解除させ、ステップＳ２４１へ進む。これによってシャッタ先幕の走行が開始され、撮像素子１２１の撮像面に到達した被写体光の強さに応じて撮像素子１２１が電荷を蓄積する。ステップＳ２４１において、演算回路１０１は、制御シャッタ速度ＴＶｃに相当する時間（＝２-TVc）のウェイトを実施してステップＳ２４２へ進む。
【０１１０】
ステップＳ２４２において、演算回路１０１はシャッタ制御回路１０３に指令を出力し、シャッタ１０４の不図示のマグネットへの通電を解除して後幕保持を解除させ、ステップＳ２４３へ進む。これによってシャッタ後幕の走行が開始され、撮像素子１２１への被写体光が遮断される。
【０１１１】
ステップＳ２４３において、演算回路１０１は、シャッタ後幕走行完了ウエイトを実施してステップＳ２４４へ進む。ウェイト時間は、後幕が撮像素子１２１の撮像領域を完全に遮光し、走行完了するまでに要する時間である。ステップＳ２４４において、演算回路１０１は、撮像素子１２１の電荷蓄積を終了させてステップＳ２４５へ進む。ステップＳ２４５において、演算回路１０１はモータ制御回路１０５に指令を出力し、シーケンスモータ１０６に逆転を開始させてステップＳ２４６へ進む。これにより、不図示のミラーのミラーダウンおよび絞りの開放復帰が開始される。ステップＳ２４６において、演算回路１０１はタイミング回路１２４に指令を出力し、撮像素子１２１から蓄積電荷の読み出しを行わせてステップＳ２４７へ進む。
【０１１２】
ステップＳ２４７において、演算回路１０１はＡＳＩＣ１２３に画像処理を行わせ、ステップＳ２４８へ進む。ステップＳ２４８において、演算回路１０１はＡＳＩＣ１２３に画像圧縮処理を行わせ、ステップＳ２４９へ進む。ステップＳ２４９において、演算回路１０１は、画像圧縮後にバッファメモリ１２５に格納されている画像データを記録媒体１２６に記録してステップＳ２５０へ進む。
【０１１３】
ステップＳ２５０において、演算回路１０１はミラーダウンが終了したか否かを判定する。演算回路１０１は、シーケンススイッチＳＷ１からオン信号が入力されるとステップＳ２５０を肯定判定してステップＳ２５１へ進み、シーケンススイッチＳＷ１からオン信号が入力されない場合はステップＳ２５０を否定判定し、ミラーダウンを継続するように判定処理を繰り返す。
【０１１４】
ステップＳ２５１において、演算回路１０１はモータ制御回路１０５に指令を出力し、シーケンスモータ１０６を停止させて図２２による処理を終了し、図４のステップＳ２へ戻る。これにより、一連の撮影処理が終了する。
【０１１５】
以上説明した実施形態によれば、以下の作用効果が得られる。
（１）電子カメラは、感度設定スイッチＳＷ４がオン操作されると、ファインダー内表示装置１０９１に露出演算後の制御撮像感度ＳＶｃを表示する（図１９、図２０、図２１）。通常は他の表示（本実施形態ではシャッタ速度の表示）を行う表示セグメントにより表示するので、新たに表示セグメントを設けなくても撮像感度を表示できる。さらに、撮像感度と異なる他の表示（絞り値など）を非表示にしたので、表示内容がわかりやすい。
【０１１６】
（２）電子カメラは、上記（１）の表示開始後、撮像感度自動変更モード時（Ｓ＝１）の露出演算処理によって撮像感度が自動変更される（設定撮像感度ＳＶｓと異なる値が制御撮像感度ＳＶｃにセットされる）と、ファインダー内表示装置１０９１に表示セグメント「ＩＳＯ  Ａｕｔｏ」９４Ａを点滅表示するとともに、自動変更後の撮像感度（制御撮像感度ＳＶｃ）を示す表示セグメント１９１Ａを点灯表示する（図１９）。表示セグメント「ＩＳＯ  Ａｕｔｏ」９４Ａの点滅によって撮像感度が自動変更されたことを示すとともに、表示セグメント１９１Ａの点灯によって自動変更後の撮像感度（制御撮像感度ＳＶｃ）を示すことができる。
【０１１７】
（３）電子カメラは、上記（１）の表示開始後、撮像感度自動変更モード時（Ｓ＝１）の露出演算処理によって撮像感度が自動変更されない場合（設定撮像感度ＳＶｓが制御撮像感度ＳＶｃにセットされる）は、ファインダー内表示装置１０９１に表示セグメント「ＩＳＯ  Ａｕｔｏ」９４を点灯表示するとともに、制御撮像感度ＳＶｃを示す表示セグメント１９１を点灯表示する（図２０）。表示セグメント「ＩＳＯ  Ａｕｔｏ」９４の点灯によって撮像感度は自動変更されていないことを示すとともに、表示セグメント１９１の点灯によって自動変更前（露出演算される前）の設定撮像感度ＳＶｓを示すことができる。
【０１１８】
（４）電子カメラは、上記（１）の表示開始後、撮像感度自動変更モードが解除時（Ｓ＝０）の場合（露出演算処理によって設定撮像感度ＳＶｓが制御撮像感度ＳＶｃにセットされる）は、ファインダー内表示装置１０９１に制御撮像感度ＳＶｃを示す表示セグメント１９１を点灯表示する（図２１）。表示セグメント「ＩＳＯ  Ａｕｔｏ」の非点灯によって撮像感度自動変更モードが解除されていることを示すとともに、表示セグメント１９１の点灯によって設定撮像感度ＳＶｓを示すことができる。
【０１１９】
（５）電子カメラは、感度設定スイッチＳＷ４がオン操作されると、外部表示装置１０９２に設定撮像感度ＳＶｓを表示する（図１８）。通常は他の表示（本実施形態ではシャッタ速度の表示）を行う表示セグメントにより表示するので、新たに表示セグメントを設けなくても撮像感度を表示できる。また、撮像感度と異なる他の表示（絞り値など）を非表示にしたので、表示内容がわかりやすい。さらに、撮像感度自動変更モード時（Ｓ＝１）の露出演算処理によって撮像感度が自動変更されたか否かにかかわらず、自動変更前（露出演算される前）の設定撮像感度ＳＶｓを示す表示セグメント１８２を点灯表示するので、ファインダー内表示装置１０９１に制御撮像感度ＳＶｃを表示しながら、外部表示装置１０９２には設定操作中の設定撮像感度ＳＶｓを表示できる。
【０１２０】
（変形例）
ファインダー内表示装置１０９１や外部表示装置１０９２に撮像感度を表示させるための操作部材を電子カメラが備えるように構成してもよい。図２３は、変形例における電子カメラの構成を示すブロック図である。図１の構成に加えて、カスタムセッティング操作部材２０１およびファンクションスイッチＳＷ５が備えられている。
【０１２１】
カスタムセッティング操作部材２０１は、カスタムセッティングの設定変更を行うための操作信号を発生し、演算回路１０１'へ送出する。本実施形態の演算回路１０１'は、カスタムセッティング操作部材２０１からの操作信号が入力されるごとに、ファンクションスイッチＳＷ５を撮像感度の表示指示スイッチとして扱うか否かを切り替える。
【０１２２】
ファンクションスイッチＳＷ５は不図示のファンクションボタンの押下操作に連動してオンし、オン信号を演算回路１０１'へ出力する一方、ファンクションボタンの押下解除に連動してオフし、オフ信号を演算回路１０１'へ出力する。
【０１２３】
（変形例におけるメイン処理）
変形例の電子カメラの演算回路１０１'で行われるカメラ動作処理の流れについて、図２４のフローチャートを参照して説明する。図２４のフローチャートによるプログラムは、電子カメラに不図示の電池が装填されると起動する。図２４において、ステップＳ１１Ａ、およびステップＳ１４〜ステップＳ１６の処理が図４と異なるので、これら相違点を中心に説明し、図４と重複する処理についての説明は省略する。
【０１２４】
図２４のステップＳ１１Ａにおいて、演算回路１０１'は以下の初期設定を行う。すなわち、設定撮像感度ＳＶｓを７（ＩＳＯ４００に相当）に、設定シャッタ速度ＴＶｓを７（１／１２５秒）に、設定絞り値ＡＶｓを５（Ｆ５．６）に、モードパラメータＭを１に、感度自動変更モードフラグＳを０に、カスタムセッティングフラグＦを０に、それぞれセットしてステップＳ２へ進む。カスタムセッティングフラグＦは、ファンクションスイッチＳＷ５を撮像感度の表示指示スイッチとして扱う場合（カスタムセッティング設定される）に１に、ファンクションスイッチＳＷ５を撮像感度の表示指示スイッチとしない場合（カスタムセッティング解除される）に０にされるフラグである。
【０１２５】
ステップＳ１４において、演算回路１０１'は表示Ａ処理を行ってステップＳ１５へ進む。表示Ａ処理の詳細については後述する。ステップＳ１５において、演算回路１０１'は設定Ａ処理を行ってステップＳ１６へ進む。設定Ａ処理の詳細については後述する。ステップＳ１６において、演算回路１０１'は、再び表示Ａ処理を行ってステップＳ７へ進む。
【０１２６】
（変形例における表示処理）
表示Ａ処理の詳細について、図２５のフローチャートを参照して説明する。図２５のステップＳ３０１において、演算回路１０１'はファインダー内表示装置１０９１および外部表示装置１０９２のそれぞれに指令を送出し、設定されている露出モード、制御シャッタ速度ＴＶｃ、制御絞り値ＡＶｃをそれぞれ点灯表示させてステップＳ３０２へ進む。ファインダー内表示装置１０９１および外部表示装置１０９２は、それぞれ図９および図１０に例示するように表示する。
【０１２７】
ステップＳ３０２において、演算回路１０１'はカスタムセッティングフラグＦ＝１か否かを判定する。演算回路１０１'は、Ｆ＝１（カスタムセッティング設定されている）の場合にステップＳ３０２を肯定判定してステップＳ３０３へ進み、Ｆ＝０（カスタムセッティングが解除）の場合にはステップＳ３０２を否定判定してステップＳ３０４へ進む。
【０１２８】
ステップＳ３０３において、演算回路１０１'は外部表示装置１０９２に指令を送出し、カスタムセッティング設定されていることを示す表示セグメント「ＣＳＭ」を点灯表示させてステップＳ３０４へ進む。
【０１２９】
ステップＳ３０４以降ステップＳ３０７までの処理は、図８のステップＳ１６２以降ステップＳ１６５までの処理と同様であり、説明を省略する。図２５の処理終了後は、図２４において設定Ａ処理（ステップＳ１５）前であればステップＳ１５へ進み、設定Ａ処理（ステップＳ１５）済みであればステップＳ７へ進む。
【０１３０】
（変形例における設定処理）
設定Ａ処理の詳細について、図２６および図２７のフローチャートを参照して説明する。図２６のステップＳ４０１において、演算回路１０１'はカスタムセッティングフラグＦ＝１か否かを判定する。演算回路１０１'は、Ｆ＝１（カスタムセッティング設定されている）の場合にステップＳ４０１を肯定判定してステップＳ４０２へ進み、Ｆ＝０（カスタムセッティングが解除）の場合にはステップＳ４０１を否定判定して図２７のステップＳ４２１へ進む。
【０１３１】
ステップＳ４０２において、演算回路１０１'はファンクションスイッチＳＷ５がオンされているか否かを判定する。演算回路１０１'は、ファンクションスイッチＳＷ５からオン信号が入力されている場合にステップＳ４０２を肯定判定してステップＳ４０３へ進み、ファンクションスイッチＳＷ５からオン信号が入力されていない場合にはステップＳ４０２を否定判定し、図２７のステップＳ４２１へ進む。
【０１３２】
ステップＳ４０３およびステップＳ４０４の処理は、それぞれ図１５のステップＳ１７８およびステップＳ１７９の処理と同様であり、説明を省略する。
【０１３３】
また、ステップＳ４０５〜ステップＳ４０９までの処理は、それぞれ図１５のステップＳ１８１〜ステップＳ１８５までの処理と同様であり、説明を省略する。
【０１３４】
ステップＳ４１０において、演算回路１０１'はファンクションスイッチＳＷ５がオフされているか否かを判定する。演算回路１０１'は、ファンクションスイッチＳＷ５からオフ信号が入力されている場合にステップＳ４１０を肯定判定し、図２６による処理を終了して図２４のステップＳ１６へ進む。演算回路１０１'は、ファンクションスイッチＳＷ５からオフ信号が入力されていない場合にはステップＳ４１０を否定判定し、ステップＳ４０３へ戻る。
【０１３５】
図２７のステップＳ４２１において、演算回路１０１'はカスタムセッティングの設定変更か否かを判定する。演算回路１０１'は、カスタムセッティング操作部材２０１から操作信号が入力されるとステップＳ４２１を肯定判定してステップＳ４２２へ進み、カスタムセッティング操作部材２０１から操作信号が入力されていない場合にはステップＳ４２１を否定判定し、ステップＳ４２５へ進む。
【０１３６】
ステップＳ４２２において、演算回路１０１'はカスタムセッティングフラグＦ＝０か否かを判定する。演算回路１０１'は、Ｆ＝０（カスタムセッティングが解除されている）の場合にステップＳ４２２を肯定判定してステップＳ４２３へ進み、Ｆ＝１（カスタムセッティング設定されている）の場合にはステップＳ４２２を否定判定してステップＳ４２４へ進む。
【０１３７】
ステップＳ４２３において、演算回路１０１'は、フラグＦを１にセット（カスタムセッティング設定する）して図２７による処理を終了し、図２４のステップＳ１６へ進む。ステップＳ４２４において、演算回路１０１'は、フラグＦを０にセット（カスタムセッティングを解除する）して図２７による処理を終了し、図２４のステップＳ１６へ進む。
【０１３８】
ステップＳ４２５において、演算回路１０１'は感度設定スイッチＳＷ４がオンされているか否かを判定する。演算回路１０１'は、感度設定スイッチＳＷ４からオン信号が入力されている場合にステップＳ４２５を肯定判定してステップＳ４２６へ進み、感度設定スイッチＳＷ４からオン信号が入力されていない場合にはステップＳ４２５を否定判定し、図１６のステップＳ１９１へ進む。
【０１３９】
ステップＳ４２６において、演算回路１０１'は、メインコマンドダイヤル１１０が反時計方向に回転されたか否かを判定する。演算回路１０１'は、メインコマンドダイヤル１１０から反時計回転を示す操作信号が入力された場合にステップＳ４２６を肯定判定してステップＳ４２７へ進み、反時計回転を示す操作信号が入力されない場合にはステップＳ４２６を否定判定し、ステップＳ４２９へ進む。
【０１４０】
ステップＳ４２７において、演算回路１０１'はＳＶｓ＝９か否かを判定する。演算回路１０１'は、ＳＶｓ＝９（設定撮像感度がＩＳＯ１６００相当）の場合にステップＳ４２７を肯定判定してステップＳ４３２へ進む。この場合は、撮像感度設定範囲の上限なのでさらなる感度アップをしない。一方、演算回路１０１'は、ＳＶｓ≠９の場合にステップＳ４２７を否定判定し、ステップＳ４２８へ進む。ステップＳ４２８において、演算回路１０１'は、設定撮像感度ＳＶｓに１を加算してステップＳ４３２へ進む。これにより、設定撮像感度ＳＶｓが１段階高く変更される。
【０１４１】
ステップＳ４２９において、演算回路１０１'は、メインコマンドダイヤル１１０が時計方向に回転されたか否かを判定する。演算回路１０１'は、メインコマンドダイヤル１１０から時計回転を示す操作信号が入力された場合にステップＳ４２９を肯定判定してステップＳ４３０へ進み、時計回転を示す操作信号が入力されない場合にはステップＳ４２９を否定判定し、ステップＳ４３２へ進む。
【０１４２】
ステップＳ４３０において、演算回路１０１'はＳＶｓ＝５か否かを判定する。演算回路１０１'は、ＳＶｓ＝５（設定撮像感度がＩＳＯ１００相当）の場合にステップＳ４３０を肯定判定してステップＳ４３２へ進む。この場合は、撮像感度設定範囲の下限なのでさらなる感度ダウンをしない。一方、演算回路１０１'は、ＳＶｓ≠５の場合にステップＳ４３０を否定判定し、ステップＳ４３１へ進む。ステップＳ４３１において、演算回路１０１'は、設定撮像感度ＳＶｓから１を減算してステップＳ４３２へ進む。これにより、設定撮像感度ＳＶｓが１段階低く変更される。
【０１４３】
ステップＳ４３２において、演算回路１０１'は外部表示装置１０９２に指令を送出し、「ＩＳＯ」の文字もしくはマークと、設定撮像感度ＳＶｓとをそれぞれ点灯表示させてステップＳ４３３へ進む。外部表示装置１０９２は「ＩＳＯ」と、アペックス値に対応する撮像感度とを表示する（図１８）。
【０１４４】
ステップＳ４３３において、演算回路１０１'は感度設定スイッチＳＷ４がオフされているか否かを判定する。演算回路１０１'は、感度設定スイッチＳＷ４からオフ信号が入力されている場合にステップＳ４３３を肯定判定して図２７による処理を終了し、図２４のステップＳ１６へ進む。演算回路１０１'は、感度設定スイッチＳＷ４からオフ信号が入力されていない場合にはステップＳ４３３を否定判定し、ステップＳ４２６へ戻る。
【０１４５】
以上説明した変形例によれば、以下の作用効果が得られる。
（１）電子カメラは、カスタムセッティング設定されている状態でファンクションスイッチＳＷ５がオン操作されると、ファインダー内表示装置１０９１に露出演算後の制御撮像感度ＳＶｃを表示する（図１９、図２０、図２１）。通常は他の表示（本実施形態ではシャッタ速度の表示）を行う表示セグメントにより表示するので、新たに表示セグメントを設けなくても撮像感度を表示できる。さらに、撮像感度と異なる他の表示（絞り値など）を非表示にしたので、表示内容がわかりやすい。
【０１４６】
（２）電子カメラは、上記（１）の表示開始後、撮像感度自動変更モード時（Ｓ＝１）の露出演算処理によって撮像感度が自動変更される（設定撮像感度ＳＶｓと異なる値が制御撮像感度ＳＶｃにセットされる）と、ファインダー内表示装置１０９１に表示セグメント「ＩＳＯ  Ａｕｔｏ」９４Ａを点滅表示するとともに、自動変更後の撮像感度（制御撮像感度ＳＶｃ）を示す表示セグメント１９１Ａを点灯表示する（図１９）。表示セグメント「ＩＳＯ  Ａｕｔｏ」９４Ａの点滅によって撮像感度が自動変更されたことを示すとともに、表示セグメント１９１Ａの点灯によって自動変更後の撮像感度（制御撮像感度ＳＶｃ）を示すことができる。
【０１４７】
（３）電子カメラは、上記（１）の表示開始後、撮像感度自動変更モード時（Ｓ＝１）の露出演算処理によって撮像感度が自動変更されない場合（設定撮像感度ＳＶｓが制御撮像感度ＳＶｃにセットされる）は、ファインダー内表示装置１０９１に表示セグメント「ＩＳＯ  Ａｕｔｏ」９４を点灯表示するとともに、制御撮像感度ＳＶｃを示す表示セグメント１９１を点灯表示する（図２０）。表示セグメント「ＩＳＯ  Ａｕｔｏ」９４の点灯によって撮像感度は自動変更されていないことを示すとともに、表示セグメント１９１の点灯によって自動変更前（露出演算される前）の設定撮像感度ＳＶｓを示すことができる。
【０１４８】
（４）電子カメラは、上記（１）の表示開始後、撮像感度自動変更モードが解除時（Ｓ＝０）の場合（露出演算処理によって設定撮像感度ＳＶｓが制御撮像感度ＳＶｃにセットされる）は、ファインダー内表示装置１０９１に制御撮像感度ＳＶｃを示す表示セグメント１９１を点灯表示する（図２１）。表示セグメント「ＩＳＯ  Ａｕｔｏ」の非点灯によって撮像感度自動変更モードが解除されていることを示すとともに、表示セグメント１９１の点灯によって設定撮像感度ＳＶｓを示すことができる。
【０１４９】
（５）電子カメラは、感度設定スイッチＳＷ４がオン操作されると、外部表示装置１０９２に設定撮像感度ＳＶｓを表示する（図１８）。通常は他の表示（本実施形態ではシャッタ速度の表示）を行う表示セグメントにより表示するので、新たに表示セグメントを設けなくても撮像感度を表示できる。また、撮像感度と異なる他の表示（絞り値など）を非表示にしたので、表示内容がわかりやすい。さらに、撮像感度自動変更モード時（Ｓ＝１）の露出演算処理によって撮像感度が自動変更されたか否かにかかわらず、自動変更前（露出演算される前）の設定撮像感度ＳＶｓを示す表示セグメント１８２を点灯表示するので、ファインダー内表示装置１０９１に制御撮像感度ＳＶｃを表示しながら、外部表示装置１０９２に設定操作中の設定撮像感度ＳＶｓを表示できる。
【０１５０】
上述した電子カメラにおける撮像感度の範囲（ＩＳＯ１００相当〜ＩＳＯ１６００相当）、シャッタ速度の範囲（１秒〜１／１０００秒）、および絞り値の範囲（Ｆ２．８〜Ｆ２２）はそれぞれ一例であり、上記以外の範囲で制御可能に構成してもよい。
【０１５１】
以上説明した電子カメラでは、撮像感度を表示させるための操作部材（感度設定スイッチＳＷ４もしくはファンクションスイッチＳＷ５）のオン操作に応じて、ファインダー内表示装置１０９１に制御撮像感度ＳＶｃを表示させ（図１９、図２０、図２１）、撮像感度を表示させるための操作部材（感度設定スイッチＳＷ４もしくはファンクションスイッチＳＷ５）のオフ操作に応じて、ファインダー内表示装置１０９１による制御撮像感度ＳＶｃの表示を終了させるようにした。この代わりに、制御撮像感度ＳＶｃの表示開始から所定時間（たとえば１秒間）が経過すると自動的にファインダー内表示装置１０９１による制御撮像感度ＳＶｃの表示を終了させるように構成してもよい。
【０１５２】
電子カメラにファインダー内表示装置１０９１と外部表示装置１０９２とを備える例を説明したが、外部表示モニタと外部表示装置１０９２とを備える電子カメラに本発明を適用してもよい。この場合、撮像感度を表示させるための操作部材のオン操作に応じて外部表示モニタに制御撮像感度ＳＶｃを表示させる。
【図面の簡単な説明】
【０１５３】
【図１】本発明の一実施形態による電子カメラの構成を示すブロック図である。
【図２】ファインダー内表示装置の表示セグメントを例示する図である。
【図３】外部表示装置の表示セグメントを例示する図である。
【図４】カメラ動作の処理の流れについて説明するフローチャートである。
【図５】露出演算処理の詳細について説明するフローチャートである。
【図６】露出演算処理の詳細について説明するフローチャートである。
【図７】露出演算処理の詳細について説明するフローチャートである。
【図８】表示処理の詳細について説明するフローチャートである。
【図９】ファインダー内表示装置による表示内容を例示する図である。
【図１０】外部表示装置による表示内容を例示する図である。
【図１１】ファインダー内表示装置による表示内容を例示する図である。
【図１２】外部表示装置による表示内容を例示する図である。
【図１３】ファインダー内表示装置による表示内容を例示する図である。
【図１４】外部表示装置による表示内容を例示する図である。
【図１５】設定処理の詳細について説明するフローチャートである。
【図１６】設定処理の詳細について説明するフローチャートである。
【図１７】設定処理の詳細について説明するフローチャートである。
【図１８】外部表示装置による表示内容を例示する図である。
【図１９】ファインダー内表示装置による表示内容を例示する図である。
【図２０】ファインダー内表示装置による表示内容を例示する図である。
【図２１】ファインダー内表示装置による表示内容を例示する図である。
【図２２】レリーズシーケンス処理の詳細について説明するフローチャートである。
【図２３】変形例による電子カメラの構成を示すブロック図である。
【図２４】カメラ動作の処理の流れについて説明するフローチャートである。
【図２５】表示Ａ処理の詳細について説明するフローチャートである。
【図２６】設定Ａ処理の詳細について説明するフローチャートである。
【図２７】設定Ａ処理の詳細について説明するフローチャートである。
【符号の説明】
【０１５４】
１０１（１０１'）…演算回路
１１０…メインコマンドダイヤル
１１１…サブコマンドダイヤル
１１２…感度自動変更モード設定操作部材
１２１…撮像素子
２０１…カスタムセッティング設定操作部材
１０９１…ファインダー内表示装置
１０９２…外部表示装置
ＳＷ３…露出モードスイッチ
ＳＷ４…感度設定スイッチ
ＳＷ５…ファンクションスイッチ
【図１】
2006301151.tif 000003
【図２】
2006301151.tif 000004
【図３】
2006301151.tif 000005
【図４】
2006301151.tif 000006
【図５】
2006301151.tif 000007
【図６】
2006301151.tif 000008
【図７】
2006301151.tif 000009
【図８】
2006301151.tif 000010
【図９】
2006301151.tif 000011
【図１０】
2006301151.tif 000012
【図１１】
2006301151.tif 000013
【図１２】
2006301151.tif 000014
【図１３】
2006301151.tif 000015
【図１４】
2006301151.tif 000016
【図１５】
2006301151.tif 000017
【図１６】
2006301151.tif 000018
【図１７】
2006301151.tif 000019
【図１８】
2006301151.tif 000020
【図１９】
2006301151.tif 000021
【図２０】
2006301151.tif 000022
【図２１】
2006301151.tif 000023
【図２２】
2006301151.tif 000024
【図２３】
2006301151.tif 000025
【図２４】
2006301151.tif 000026
【図２５】
2006301151.tif 000027
【図２６】
2006301151.tif 000028
【図２７】
2006301151.tif 000029